(57)【要約】      （修正有）【課題】質感や重さが藁製の製品と同様であり、藁製の製品の実用的な代替品となり得る紙製注連縄又は紙製リースを提供する。【解決手段】紙製注連縄１は、紙テープを絞ることで作られた紙製藁状紐５を複数本撚り合わせて作られた縄３−１，３−２を複数本備え、これら複数本の縄３−１，３−２を撚り合わせて作られる。紙テープは、厚みが３０ｇ／ｍ２以下であることが望ましい。紙製藁状紐５は、紙テープをその幅よりも小さな径の絞り穴に通すことで作られる紐である。【選択図】図１
0003168361.tif 000002
【実用新案登録請求の範囲】
【請求項１】
紙テープを絞ることで作られた紙製藁状紐を複数本撚り合わせて作られた縄を複数本備え、これら複数本の縄を撚り合わせて作られることを特徴とする紙製注連縄又は紙製リース。
【請求項２】
前記紙テープは、厚みが30g/m2以下であることを特徴とする請求項１記載の紙製注連縄又は紙製リース。
【請求項３】
前記紙製藁状紐は、前記紙テープをその幅よりも小さな径の絞り穴に通すことで作られる紐であることを特徴とする請求項１又は２記載の紙製注連縄又は紙製リース。
【請求項４】
前記紙テープは、厚みが22〜25g/m2であることを特徴とする請求項２記載の紙製注連縄又は紙製リース。
【請求項５】
前記絞り穴の径が前記紙テープの幅の5分の1以下であることを特徴とする請求項３記載の紙製注連縄又は紙製リース。
【考案の詳細な説明】
【技術分野】
【０００１】
本考案は、藁などを撚り合わせた縄から作られる注連縄及び花や葉などで作られる装飾用の輪であるリースに関する。
【背景技術】
【０００２】
神事の場や神前などで、神聖な場所を他の場所と区別するために張ったり、魔除けのために新年に家の入り口などに張ったりする注連縄（しめ縄、標縄、七五三縄）としては、藁を複数本撚り合わせたて作った縄を、2，3本撚り合わせることで作成される注連縄が従来から広く使用されている。
【０００３】
しかし、藁製の注連縄は、カビが発生したりダニが発生したりし易いといった問題があり、環境によっては長期間の使用が困難であった。また、藁は植物であるため、藁製の注連縄は輸出入の際に検疫が必要となり、海外で生産した注連縄を日本に輸入したり、日本で生産した注連縄を外国に輸出したりする際の手間やコストがかかっていた。
【０００４】
このような点に鑑み、藁以外の材料の紐で作られた注連縄が下記特許文献１及び２に開示されている。特許文献１にはプラスチック製の紐で作られた注連縄が開示され、特許文献２には、藁色に着色した和紙をテープ状に裁断し、当該テープ状和紙を撚って作った撚り紐で作られた注連縄が開示されている。
【先行技術文献】
【特許文献】
【０００５】
【特許文献１】特開平７−８８０３６号公報
【特許文献２】特開平１１−４３８７５号公報
【考案の概要】
【考案が解決しようとする課題】
【０００６】
ところが、特許文献１に開示されたプラスチック製の紐から作られた注連縄では、藁製注連縄と同様の質感を出すことが困難であり、見た目がどうしても藁製の注連縄と異なってしまうため、藁製注連縄の代わりに使用できるケースが限られてしまう。
【０００７】
また、特許文献２に開示された和紙テープを撚って作った紐は、紙が密に巻かれた固い紐になるため、やはり質感が天然の藁とは異なってしまう。また、紙が密に巻かれた紐は、藁と比べて格段に重くなってしまう。このため、特許文献２に開示された紙製の紐から作られた注連縄も藁製注連縄の代わりとして使用できるケースが限られてしまっていた。
【０００８】
本考案は、上記課題を解決するためになされたものであり、質感や重さが藁製の製品と同様であり、藁製の製品の実用的な代替品となり得る紙製注連縄又は紙製リースを提供することを目的とする。
【課題を解決するための手段】
【０００９】
上記課題を解決するために、本考案に係る紙製注連縄又は紙製リースは、紙テープを絞ることで作られた紙製藁状紐を複数本撚り合わせて作られた縄を複数本備え、これら複数本の縄を撚り合わせて作られることを特徴とする。
【考案の効果】
【００１０】
本考案に係る紙製注連縄又は紙製リースによれば、質感や重さが藁製の製品と同様となり、藁製の製品の代用として広く実用に供することができる。
【図面の簡単な説明】
【００１１】
【図１】図１は、本実施形態に係る注連縄の正面図である。
【図２】図２は、本実施形態に係る紙製藁状紐の正面図である。
【図３】図３は、本実施形態に係る紙製藁状紐製造装置の構成を概略的に示す模式図である。
【図４】図４は、本実施形態に係る正月飾りの正面図である。
【考案を実施するための形態】
【００１２】
以下、図面を参照しながら、本考案の実施形態について詳細に説明する。図１は、本実施形態に係る注連縄の正面図である。図２は、本実施形態に係る紙製藁状紐の正面図である。本実施形態に係る注連縄は、縄の材料である藁の代わりに、質感が藁のような紙製藁状紐を使って作られていることを特徴としている。
【００１３】
図１に示すように、注連縄１は、二本の縄３−１，３−２と針金等の結束部材７を備えており、二本の縄３を撚り合わせたものを両端が余るように略円形にした状態で交差部を結束具７で固定することで作られる。
【００１４】
縄３は、細長いシート状の紙テープを絞って藁のように作られた紙製藁状紐５を20〜30本撚り合わせて作られる。図２に示すように、紙製藁状紐５は、紙テープを絞ることで長手方向に無数の皺が生じ、幅方向に不規則に幾重にも折り込まれた形状となり、見た目が藁のような紐となっている。また、折り込まれた紙が元の形に戻るべく若干広がっているため、紙製藁状紐５の触感もソフトで藁と同様の触感となっている。
【００１５】
紙テープとしては、洋紙、和紙等の種々の紙を用いることができ、故紙を用いても良い。但し、紙テープを絞って紐状にしたときに、見た目や触感等の質感を藁に近づけるためには、ある程度薄い紙テープであることが望ましく、本考案者らによれば、厚みが30g/m2以下の薄い紙テープを用いると、質感がより藁に近い紙製藁状紐５を作ることができた。また、厚さ22〜25g/m2の紙テープを用いれば、さらに質感が藁に近い紙製藁状紐５となった。
【００１６】
続いて、紙テープから紙製藁状紐５を作る工程について、図３を参照しながら詳細に説明する。図３は、本実施形態に係る紙製藁状紐製造装置を概略的に示す模式図である。同図に示すように、紙製藁状紐製造装置１０は、紙テープ供給ローラー１１、絞り部材１２、ローラー１３、案内部材１４、振分部材１５、巻取部材１６を備えている。
【００１７】
紙テープ供給ローラー１１は、紙製藁状紐５の材料である紙テープ２０を回転自在にセットするためのローラーである。本実施形態では、例えば、テープ幅4cmの紙テープ２０がセットされる。絞り部材１２は、紙テープ２０を絞って紙製藁状紐５を形作るための部材であり、紙テープ２０を通過させて絞るための絞り穴が形成されている。
【００１８】
絞り穴は、紙テープ２０のテープ幅よりも格段に小さな径の穴であり、紙テープ２０は、絞り穴によって絞り穴径程度の太さの紐に絞られる。本実施形態では、絞り穴の径を5mmに設定している。もちろん、絞り穴の径は適宜変更可能であるが、紙テープ２０を十分に絞って藁のような質感の軽量の紐を作るためには、絞り穴の径は紙テープの幅よりも5分の1以下の大きさとすることが望ましい。
【００１９】
案内部材１４は、紙製藁状紐５の進行方向に直交して水平に延在する棒状部材である。振分部材１５は、紙製藁状紐５を左右に往復移動させることで巻取部材１６に均等に巻き付けるための部材であり、順次送り出されてくる紙製藁状紐５を紐保持部で支えながら左右に往復移動させる機能を有している。巻取部材１６は、出来上がった紙製藁状紐５を巻き取り収容する部材であり、図中時計回りに回転する機能を有している。
【００２０】
このような構成を有する紙製藁状紐製造装置１０に紙テープ２０をセットする際には、まず、紙テープ２０の先端を絞り部材１２の絞り穴に半回転撚った状態で通す。そして、絞り穴を通した紙テープ２０の先端を、さらに、ローラー１３のローラー溝、振分部材１５の紐保持部に順次通した上で、巻取部材１６に巻き取られるように巻取部材１６に固定する。
【００２１】
この状態で紙製藁状紐製造装置１０の運転が開始されると、巻取部材１６が回転し始めると共に、振分部材１５が左右に往復動を開始する。そうすると、絞られた紙テープ２０（紙製藁状紐５）が巻取部材１６に巻き取られ始め、紙テープ２０が紙テープ供給ローラー１１から順次繰り出される。
【００２２】
繰り出された紙テープ２０は、絞り部材１２の絞り穴（穴径5mm）を通過することで絞られ、幅方向に不規則に幾重にも折り込まれた紙製藁状紐５となる。紙製藁状紐５は、ローラー１３、案内部材１４、振分部材１５を通過し、巻取部材１６に巻き取られる。
【００２３】
このようにして製造された紙製藁状紐５を用いれば、藁で作った注連縄と質感でほとんど区別することのできない紙製の注連縄を作ることができる。また、植物の藁であれば、輸出入の際に検疫の手間がかかるが、紙であれば検疫の必要もなく、手軽に輸出入を行うことができる。
【００２４】
また、紙製藁状紐５は、紙を撚って作った紐でなく、絞って作っただけであるため、軽量の紐となり、この紙製藁状紐５を使って作成した注連縄１も藁製の注連縄と同様に軽量の注連縄とすることができる。
【００２５】
また、本実施形態に係る紙製藁状紐５の材料としては、故紙を含めて種々の紙を用いることができるので、低コストで注連縄１を製造することができる。ここで、注連縄１は、図４に示すように水引等の飾りを付すことで、正月飾りとして用いることができる。
【００２６】
以上、本実施形態について詳細に説明したが、本考案は上記実施形態に限定されるものではなく、本考案の主旨を逸脱しない範囲内で種々の変形が可能である。例えば、上記実施形態では、略円形の注連縄について説明したが、注連縄の形状は適宜変更できることは言うまでもない。
【００２７】
また、縄を構成する紙製藁状紐の本数や、注連縄を構成する縄の本数も複数本であれば適宜変更できる。また、紙製藁状紐を作るための紙テープの大きさや厚み等も適宜変更可能である。
【００２８】
また、絞り部材も紙テープを絞るための絞り穴が形成された部材であれば、適宜他の部材を用いることができる。また、上記実施形態では、紙製藁状紐から作られた注連縄について説明したが、上述した紙製藁状紐を材料として装飾用の輪であるリースを作ることもできる。
【符号の説明】
【００２９】
１        注連縄
３        縄
５        紙製藁状紐
７        結束部材
１０      紙製藁状紐製造装置
１１      紙テープ供給ローラー
１２      絞り部材
１３      ローラー
１４      案内部材
１５      振分部材
１６      巻取部材
２０      紙テープ
【図３】
0003168361.tif 000003
【図１】
0003168361.tif 000004
【図２】
0003168361.tif 000005
【図４】
0003168361.tif 000006